(57)【要約】【課題】  安定感がありかつ激しく動いた場合でも装飾片が所定の角度以上に反り上がらない装身具用ペンダントを提供すること【解決手段】  宝石３２が取り付けられた装飾片３０と、この装飾片３０が揺動可能に吊下げられる第一の板材１０と、この第一の板材１０と複数の柱体１７により取り付けられる第二の板材とを有し、第一の板材１０は前面側に第二の板材は背面側になるように装着され、複数の柱体１７により形成された第一の板材と第二の板材の空隙により装飾片３０が揺動する。また、装飾片３０を揺動可能に取り付ける吊下部２０には規制部が形成され、これにより装飾片３０の前後の動きが大きくなりすぎることを防止できる。    【選択図】      図１
2007202721.tif 000002
【特許請求の範囲】
【請求項１】
宝石が取り付けられた装飾片と、この装飾片が揺動可能に吊下げられる第一の板材と、この第一の板材に突設される柱体により取り付けられる第二の板材とを有し、前記柱体により形成された前記第一の板材と前記第二の板材の空隙において前記装飾片が揺動することを特徴とする装身具用ペンダント。
【請求項２】
請求項１に記載の装身具用ペンダントにおいて、前記第一の板材と第二の板材の外周形状が同じであることを特徴とする装身具用ペンダント。
【請求項３】
請求項１に記載の装身具用ペンダントにおいて、前記第一の板材の側部には切り欠き又は穴が左側、右側、下側、略中央のいずれか一箇所又は複数箇所に形成され、この切り欠き又は穴の上端に前記装飾片が吊り下げられることを特徴とする装身具用ペンダント。
【請求項４】
請求項３に記載の装身具用ペンダントにおいて、前記切り欠き又は穴は、略円形、多角形、略ハート形、略涙形の群より選ばれるいずれか一の形状の全部又は一部で形成されることを特徴とする装身具用ペンダント。
【請求項５】
請求項１に記載の装身具用ペンダントにおいて、前記第一の板材には前記装飾片が吊下げられる吊下部が取り付けられ、
前記吊下部は前記装飾片に取り付けられる輪環が吊下げられる輪環部と、この輪環の前後の動きを規制する規制部とを有することを特徴とする装身具用ペンダント。
【請求項６】
請求項１に記載の装身具用ペンダントにおいて、前記第一の板材と第二の板材を取り付ける前記柱体が、この装身具用ペンダントの中央より前記装飾片が吊り下げられる逆方向に偏って位置して、この装身具用ペンダントがネックレス用チェーンにより胸元に吊り下げられると、その位置が水平に保たれることを特徴とする装身具用ペンダント。
【発明の詳細な説明】
【技術分野】
【０００１】
本発明は装身具用ペンダント、より具体的にはダイアモンドなどの宝石を取りつけた装飾片を揺動可能に吊下げた装身具用ペンダントに関する。
【背景技術】
【０００２】
従来より装身具用ペンダントには、多種多様のものがあり、その形も様々であるが、通常、首に介装するためのネックレス用チェーンと、ダイヤモンド等の宝石を取り付けた装飾片からなり、輪環を介して装飾片をチェーンに吊下げるか、あるいはチェーンの両端を装飾片に直接固定するタイプが存在する。
【０００３】
例えば図１０は、装飾片１１２をネックレス用チェーン４０に吊下げた装飾用ペンダント１１０の使用例を横から見た状態を示したものである。図１０に示すように装飾片１１２は、装飾片が概ね垂直の状態で吊下げられたときにこれに取り付けられたダイヤモンド等の宝石が美しく輝いて見える。
【０００４】
一方、新しいタイプの装身具として、本願出願人は特願２００１−０８６４７１に記載した装身具用ペンダントを出願している。図１１および図１２は特願２００１−０８６４７１に記載した装身具用ペンダント１２０である。このようなペンダント１２０は、上方にペンダントチェーンが取り付けられるチェーン連結部１２３を備えた台座１２５の背面にテーパー状の定着部１２４を形成し、前面には先端に吊下孔１２８と後方に湾曲部１３０を設けた吊下部１３２が形成されている。
【０００５】
吊下孔１２８は、係止環１４２により宝石１４４を取り付けた装飾片１４６を揺動可能に吊り下げるための孔である。このような構造により、微振動でも装飾片１４６が前後左右に揺れることができるとともに、前だけではなく後方からも宝石１４４に光が入射されるので、宝石１４４が理想的な光の反射を行うことができ、ペンダントをより美しくみせることができる。
【発明の開示】
【発明が解決しようとする課題】
【０００６】
しかしながら、装身具用ペンダント１２０は宝石１４４を美しく見せることができるという点では優れた美感を備えたペンダントであるが、装着時の安定感という点では必ずしも満足のいくものではなかった。また、使用者が激しく動いた場合に装飾片１４６が上に反り上がり、宝石１４４の背面が前になってしまうということもあった。
【０００７】
本発明はこのような従来技術の課題を解決し、装身具用ペンダント１２０の優れた美感を備えるとともに、安定感がありかつ激しく動いた場合でも装飾片が所定の角度以上に反り上がらない装身具用ペンダントを提供することを目的とする。
【課題を解決するための手段】
【０００８】
本発明は上記課題を解決するために、請求項１に記載の装身具用ペンダントは、宝石が取り付けられた装飾片と、この装飾片が揺動可能に吊下げられる第一の板材と、この第一の板材に突設される柱体により取り付けられる第二の板材とを有し、前記柱体により形成された前記第一の板材と前記第二の板材の空隙において前記装飾片が揺動することを特徴とする。本発明では、前記第一の板材と第二の板材の外周形状が同じであることが好ましい。本発明では、前記第一の板材の側部には切り欠き又は穴が左側、右側、下側、略中央のいずれか一箇所又は複数箇所に形成され、この切り欠き又は穴の上端に前記装飾片が吊り下げられることが好ましい。
【０００９】
本発明では、前記切り欠き又は穴は、略円形、多角形、略ハート形、略涙形の群より選ばれるいずれか一の形状の全部又は一部で形成されることが好ましい。本発明では、前記第一の板材には前記装飾片が吊下げられる吊下部が取り付けられ、前記吊下部は前記装飾片に取り付けられる輪環が吊下げられる輪環部と、この輪環の前後の動きを規制する規制部とを有することを特徴とすることが好ましい。本発明では、前記第一の板材と第二の板材を取り付ける前記柱体が、この装身具用ペンダントの中央より前記装飾片が吊り下げられる逆方向に偏って位置して、この装身具用ペンダントがネックレス用チェーンにより胸元に吊り下げられると、その位置が水平に保たれることが好ましい。
【発明の効果】
【００１０】
本発明による装身具用ペンダントによれば、身に着けたときに従来の装身具用ペンダントに比べて広い接触面により胸元と接触することができるので、非常に高い安定感を得ることができる。また、身に着けているときに装飾片が反り上がって宝石の背面が前になるということもない。したがって、装飾片に取り付けられた宝石の輝きを最大限に引き出すことが可能となる。
【発明を実施するための最良の形態】
【００１１】
次に添付図面を参照して本発明による装身具用ペンダントの好ましい実施形態を詳細に説明する。
図１は本発明による装身具用ペンダントの第１の実施形態を示す装身具ペンダント１の正面図(Ａ)、側面図(Ｂ)、背面図(Ｃ)および下から見た図(Ｄ)である。また、図２はこの装身具用ペンダント１の斜視図である。
【００１２】
装身具用ペンダント１は、正面に配置される第一の板材１０と背面に配置される第二の板材１４とが４つの柱体１７Ａ〜１７Ｄにより接合されている。第一の板材１０は、例えば金、銀、プラチナ等の貴金属や真鍮等の金属又は合成樹脂を原材料として形成された略正方形であり、右側面に円弧状の切り欠き１６が形成されている。
【００１３】
この円弧状の切り欠き１６の上端には吊下部２０が固着され、これに例えばダイヤモンド、エメラルド又はルビーなどの宝石３２を取り付けた装飾片３０が揺動自在に取り付けられている。また、第一の板材１０の周囲１２の内側１３には宝石３２と、例えば同じ種類の宝石や代表的宝石のダイアモンドでそれを小さくした複数の宝石１９が美感を高めるために散りばめられている。
【００１４】
第一の板材１０にはさらに、その上部の背面の柱体１７Ａが接合される真下に、ネックレス用チェーン４０の挿通口１８が固着されている。この挿通口１８は、第一の板材１０と同等の材質で形成され、その形状は中が空洞の四角柱体になっている。この挿通口１８の長さを長くすることで、装身具用ペンダント１はさらに使用中に回転しずらくなり、使用時に裏返ることを防止している。
【００１５】
そして、柱体１７Ａは、切り欠き１６の存在により装身具用ペンダント１の重心が左側へ偏心することを考慮して、宝石３２が吊下げられる逆方向、すなわち装身具用ペンダント１を水平方向に捉えた場合の中央から左寄りに偏って位置しており（背面から見ると右寄り）、使用の際にネックレス用チェーンにより胸元に吊り下げられた装身具ペンダント１０を水平に保つことができる。
【００１６】
第二の板材１４は第一の板材１０と同等の材質で形成され、その外周形状は第一の板材１０の周囲１２と同じである。すなわち、第二の板材１４は第一の板材１０の内側１３に相当する部分が無いフレーム形状（中抜き）になっており、このことにより高価な貴金属の使用量を少なくし、コスト削減を図ることができる。
【００１７】
第二の板材１４は、第一の板材１０の上部に突設された柱体１７Ａ、切り欠き１６の左中央に突設された柱体１７Ｂ、下部中央に突設された柱体１７Ｃ、左中央に突設された柱体１７Ｄ、すなわち複数本の柱体により接合されている。これら柱体１７は第一の板材１０や第二の板材１４と同等の材質で形成され、溶接又は接着剤等により２つの板材を接合している。なお、柱体１７の形状は特に規定されるものではないが、本実施形態においては蒲鉾型になっており、外側が平面部分に内側が円弧部分になるように取り付けられている。もちろん、柱体１７が取り付けられる位置やその数についても図１に示したものに限定されるわけではない。
【００１８】
装飾片３０は、宝石３２とこれを把持して固定する爪部３４および爪部３４の上部に取り付けられた輪環３６により形成される。爪部３４および輪環３６は例えば金、銀、プラチナ等の貴金属や真鍮等の金属を原料としている。輪環３６は第一の板材１０に取り付けられた吊下部２０に前後左右に揺動可能なように取り付けられる。
【００１９】
第３図は第一の板材１０に装飾片３０が取り付けられた状態を示す部分正面図(Ａ)と装飾片３０の揺動状態の一例を示した部分側面図(Ｂ)である。また、図４は吊下部２０の正面図(Ａ)と側面図(Ｂ)である。吊下部２０は図４に示すように、装飾片３０の輪環３６が挿通される円形の穴２６が穿設されたリング形状の輪環部２４と、この輪環部２４の上部を覆うように取り付けられたドーム型の規制部２２とにより形成されている。
【００２０】
ドーム型の規制部２２は、輪環部２４の内径よりも厚く（太径）になっており、それによって輪環３６の前後の動きが規制されるようになっている。すなわち、装飾片３０が前後に激しく動いても、輪環３６が規制部２２のの底面２８Ａ又は２８Ｂによって係止されるので、図３(Ｂ)に示すように所定の高さ以上に装飾片３０が上になることはない。したがって、使用中に激しく動いても宝石３２の背面が前になることが無く、優れた美感を保つことができる。
【００２１】
以上説明したように第一の実施形態による装身具用ペンダント１によれば、比較的広い面積で使用者の胸元に第二の板材１４が面接触するので高い安定感を得ることができる。また、装飾片３０の前後の動きを規制することにより、宝石３２の美感を妨げるような（装飾片３０がひっくり返ってしまうような）揺動が行なわれることも無い。
【００２２】
なお、本実施形態では規制部２０の形状は図４に示したような形状としたが、本発明は特にこのような形状に限定されるものではなく、装飾片の前後の動きが規制されるような形状であればよい。例えば、第一の板材１０において同様の吊下部２０を横方向に固着し、装飾片３０における輪環３６を前後方向に取り付ける場合には、左右方向の揺動を規制することもできる。
【００２３】
図５は第二の板材１４の他の実施形態を示した一例である。図５(Ａ)はフレーム形状ではなく第一の板材１０と同様の外周形状で全体が板である第二の板材５０を示したものである。また、図５(Ｂ)は第一の板材１０の左側に（図においては右側）柱体５４を突設して、第一の板材の半分程度の面積からなる円形状の第二の板材５６を取り付けたものである。このように、第二の板材は外周形状が異なるもののみならず、第一の板材とその面積が異なるものであってもよい。また、図１に示した装身具用ペンダント１では、第一の板材１０の前面に複数の宝石１９を配列したが、とくにこれに限定されるものではなく美感を考慮した幾何学模様であってもよい。
【００２４】
さらに、装身具用ペンダント１では第一の板材１０の右側に切り欠き１６を形成して装飾片３０を取り付けたが、特に切り欠き１６の位置は右側に限定されるものではなく左側であってもよい。なお、第一の板材及び第二の板材の種々の形状や美観に限定がない点は、以下に述べる実施形態についても同様である。
【００２５】
以下、本発明の他の実施形態を説明するが、同じ構成要素については同一の符号を記し、重複する説明は省略する。図６は本発明の第２の実施形態を示す装身具用ペンダント２の正面図である。装身具用ペンダント２は、第一の板材６０とこれと外周形状が同じ第２の板材（図示せず）を円形にし、下側略中央に円弧状の切り欠き６２を形成して装飾片３０を取り付けたものである。
【００２６】
また、図７は第３の実施形態である装身具用ペンダント３の正面図を図示したものである。装身具用ペンダント３は、第一の板材７０とこれと外周形状が同じ第２の板材（図示せず）を円形にし、中央に円弧状の穴７２を形成して円中央に装飾片３０を取り付けたものである。
【００２７】
さらに、図８は第４の実施形態である装身具用ペンダント４の正面図を図示したものである。装身具用ペンダント４は、第一の板材８０とこれと輪郭が同じ第２の板材（図示せず）を四角形にし、中央に四角形の穴７２を形成してその中心に装飾片３０が位置するように取り付けたものである。
【００２８】
くわえて、図９は第５の実施形態である装身具用ペンダント５の正面図を図示したものである。装身具用ペンダント５は、第一の板材９０とこれと輪郭が同じ第２の板材（図示せず）を円形にし、左右に円弧状の切り欠き９２Ａ、９２Ｂを形成して、それぞれに装飾片３０Ａ、３０Ｂを取り付けたものである。なお、本実施形態において、さらに図６のような下側略中央の切り欠きを形成し、装飾片を取り付けることが可能で、その場合には３つの宝石が輝いてさらなる美しさを発揮する装身具用ペンダントを提供することができる。
【００２９】
以上、本発明を種々の実施形態により説明したが、本発明は特に上記の実施形態に限定されるものではなく、同様な技術的思想は本発明の範疇に含まれる。具体的には、第一の板材と第二の板材の形状は前述した形状の他に三角形、ハート形、涙形、さらにはダイヤモンド等の宝石の外周形状でもよく、また第一の板材と第二の板材との外周形状は必ずしも同じでなくてもよい。さらに、取り付けられる装飾片の数も上記実施形態では３つまでとしたが、特にこれに限定されるものではなくそれ以上であってもよい。
【００３０】
すなわち、本発明は装着時の安定感を増すために第二の板材を胸元と面接触する形状とし、この第二の板材と所定の間隔をもって空隙を設けて第一の板材を配設し、その切り欠き又は穴に装飾片が取り付けられることによって、ペンダントそのものとこれに取り付けられた装飾片の動きをより安定させたことに特徴があるものである。
【図面の簡単な説明】
【００３１】
【図１】本発明による装身具用ペンダントの第１の実施形態を示す正面図(Ａ)、側面図(Ｂ)、背面図(Ｃ)、下から見た図(Ｄ)である。
【図２】図１に示した装身具用ペンダントの斜視図である。
【図３】図１に示した装身具用ペンダントの部分正面図(Ａ)とその装飾片の揺動を示した部分側面図(Ｂ)である。
【図４】図１に示した規制部を部分拡大した正面図(Ａ)と側面図(Ｂ)である。
【図５】図１に示した装身具用ペンダントの第二の板材の他の例を示した正面図である。
【図６】本発明による装身具用ペンダントの第２の実施形態を示す正面図である。
【図７】本発明による装身具用ペンダントの第３の実施形態を示す正面図である。
【図８】本発明による装身具用ペンダントの第４の実施形態を示す正面図である。
【図９】本発明による装身具用ペンダントの第５の実施形態を示す正面図である。
【図１０】従来技術における装身具用ペンダントの使用例を示した図である。
【図１１】従来技術における装身具用ペンダントの正面図である。
【図１２】従来技術における装身具用ペンダントの側面図である。
【符号の説明】
【００３２】
１、２、３、４、５           
装身具用ペンダント
１０、６０，７０，８０，９０  第一の板材
１４、５０，５４  第二の板材
１６  切り欠き
１７Ａ〜１７Ｄ  柱体
２０  吊下部
２２  規制部
３０  装飾片
３２  宝石
４０  ネックレス用チェーン
【図１】
2007202721.tif 000003
【図２】
2007202721.tif 000004
【図３】
2007202721.tif 000005
【図４】
2007202721.tif 000006
【図５】
2007202721.tif 000007
【図６】
2007202721.tif 000008
【図７】
2007202721.tif 000009
【図８】
2007202721.tif 000010
【図９】
2007202721.tif 000011
【図１０】
2007202721.tif 000012
【図１１】
2007202721.tif 000013
【図１２】
2007202721.tif 000014